(57)【要約】【課題】パウチの金属箔と電池負極との間の電気的短絡により金属箔が腐食され、電池異常が発生することを防止できるパウチ型リチウム二次電池を提供する。【解決手段】正極、セパレーター、及び負極を含んでなる電極組立体と、電極組立体を収容する凹部、及び当該凹部の周縁に沿って融着されてフランジ形態に形成された縁２３，２３’を有するパウチと、を具備するパウチ型リチウム二次電池において、縁の少なくとも一部分で、前記縁の端部が絶縁性の粘着テープ２０１でくるまれることを特徴とする。したがって、パウチ膜の金属箔と電池負極との間の電気的短絡を防止することができる。【選択図】図４
2008288219.tif 000002
【特許請求の範囲】
【請求項１】
正極、セパレーター、及び負極を含んでなる電極組立体と、
前記電極組立体を収容する凹部、及び当該凹部の周縁に沿って融着されてフランジ形態に形成された縁を有するパウチと、を具備するパウチ型リチウム二次電池において、
前記縁の少なくとも一部分で、前記縁の端部が絶縁性の粘着テープでくるまれたことを特徴とするパウチ型リチウム二次電池。
【請求項２】
前記絶縁性の粘着テープは、前記パウチにおいて、前記正極及び前記負極に設置される電極タップが引き出される部分を除いた前記縁の端部全体に付着されることを特徴とする請求項１に記載のパウチ型リチウム二次電池。
【請求項３】
前記パウチは、前記凹部の底面側から見て矩形をなし、
前記パウチの対向する二辺の前記縁は、前記縁の端部が前記凹部の側壁と当該縁との間に挟まれるように複数回折りたたまれ、
前記対向する二辺と交差する一辺には保護回路基板が設置され、
前記絶縁性の粘着テープは、前記保護回路基板が設置される一辺と前記二辺とが交差する二つの角部分の縁の端部のみに付着されることを特徴とする請求項１に記載のパウチ型リチウム二次電池。
【請求項４】
前記パウチは、前記凹部の底面側から見て矩形をなし、
前記パウチの対向する二辺において、前記絶縁性の粘着テープが前記縁の端部全体に付着されることを特徴とする請求項１に記載のパウチ型リチウム二次電池。
【発明の詳細な説明】
【技術分野】
【０００１】
本発明は、リチウム二次電池に関し、特に、正極と負極、及びセパレーターを含む電極構造体が、パウチ（ｐｏｕｃｈ）に収容される形態を有するパウチ型リチウム二次電池に関する。
【背景技術】
【０００２】
リチウム二次電池は、リチウムと水分の反応性のために、非水性電解質を使用する。この電解質はリチウム塩を含む固体ポリマーであるか、リチウム塩が有機溶媒から解離された液状であることもある。リチウム二次電池を電解質の種類によって区分して見れば、液体電解質を使用するリチウム金属電池とリチウムイオン電池、そして高分子固体電解質を使用するリチウムイオンポリマー電池に区分することができる。
【０００３】
完全固体型リチウムイオンポリマー電池の場合には、有機電解液の漏出問題がなく、有機電解液を含むゲル型リチウムイオンポリマー電池の場合にも、液体電解質を使用するリチウムイオン電池と比べると、電解液の漏出問題は、より簡易な形態で防止される。また、リチウムイオンポリマー電池は、電極組立体の容器として、金属カンの代わりにパウチを使用することができる。
【０００４】
パウチは通常、金属箔層とこれを覆う合成樹脂層の多層膜で構成されるが、パウチを使用する場合には、金属カンを使用する場合より、電池の重さをはるかに減らすことができる。多層膜パウチで箔をなす金属としては、通常アルミニウムが利用される。パウチ膜の内層をなすポリマー膜は、電解質から金属箔を保護するとともに、正極と負極、そして電極タップ間の短絡を防止する。
【０００５】
パウチ型リチウム二次電池を形成するために、まず、正極、セパレーター、負極を積層するか、または積層後に巻取してなされる電極組立体を、仮封止された状態のパウチ内に位置させる。そして、パウチの開放された縁部で、上下のパウチ膜を加熱融着させると、密封されたパウチ形態のベアセル電池（ｂａｒｅ  ｃｅｌｌ）が作られる。
【０００６】
ベアセル電池に取り付けられなかった保護回路基板（ＰＣＭ：ｐｒｏｔｅｃｔｉｎｇ  ｃｉｒｃｕｉｔ  ｍｏｄｕｌｅ）やＰＴＣ（ｐｏｓｉｔｉｖｅ  ｔｅｍｐｅｒａｔｕｒｅ  ｃｏｅｆｆｉｃｉｅｎｔ）のような付属品、あるいは構造体が付着して、コアパック（ｃｏｒｅ  ｐａｃｋ）電池が形成される。
【０００７】
コアパック電池をハードケース内に結合させれば、ハードパック電池が形成される。ハードケースは、その内側に別途の回路や導電体部なしにポリプロピレン樹脂などを利用して形成することができるが、電池が使われる機器の特性によって、ハードケース内部に別途の付属回路やその他の導電体部を有する場合がある。場合によっては、別途のハードケースなしに、コアパック電池が直接製品に付着されて、使われる。
【０００８】
図１は、電極組立体を収容する凹部が形成された面の底面側から見る場合、おおよそ矩形をなすコアパック電池の一例を示す図であり、図２は、図１と同様なコアパック電池に対する斜視図である。
【０００９】
図１及び図２を参照すれば、おおよそ矩形であるコアパック電池１００の左右二辺では、パウチ密封時に融着されたフランジ形態の縁２３が正面手前に向けて、すなわち、凹部５４に向かって折られた状態を示している。縁２３を折ることは、融着によってパウチを密封して形成されたベアセル電池で、新たに縁を構成することに該当し、電池の幅を減らして無駄な空間を無くすためになされる。
【００１０】
図１に示されるように、コアパック電池１００を正面から見る時の矩形の４辺のうちで、電極タップ３７、３８が引き出される上辺の周辺では、電極タップに保護回路基板５１、及びその他の構造体が接続される。そして、電極タップ３７、３８が一回、あるいは図２に示されたように二回折曲される。電極タップを折曲することによって、密封されたパウチで電極タップが引き出される上辺の縁２３’、電極タップが引き出される辺で凹部５４をなす一壁面５６、及び凹部に向かって折られたパウチ左右の対向する縁２３に制限された空間に、保護回路基板５１が位置するようになって、全体電池の長さを縮める效果を得る。
【００１１】
ところが、パウチ１００の対向する二辺の縁２３が折られた状態でも、縁２３の端部には、相変らずパウチ膜の中間層をなす金属箔が現われている。よって、コアパック電池１００を形成すれば、保護回路基板５１の導電部はパウチの折られた縁２３と空間的に近く位置するようになって、電気的に接続される可能性が大きい。保護回路基板の導電部がどのような形態でも、電池の負極と連結された状態にあれば、負極の銅とパウチ膜のアルミニウム箔が電気的に短絡される可能性が大きくなる。
【００１２】
また、金属箔が露出された状態で、コアパック電池がハードケースや電池使用製品の電池ボックスに直接装入される場合、パウチ膜の金属箔がハードケースや電池ボックス内の回路部その他の導電体を通じて、電池の負極と短絡されうる。あるいは、パウチ膜の金属箔、保護回路基板の導電体、ハードケースや電池ボックスの導電体、電池負極の経路で電気接続がなされうる。
【００１３】
以上のいずれの場合も、一応、直接的、間接的にパウチ膜の金属箔をなすアルミニウムと負極の銅集電体などが接続されれば、電気化学作用によってパウチ膜のアルミニウム箔が腐食を起こす。特に、パウチで負極タップ周辺に漏出された電解液成分や湿り気が存在する環境では、金属箔腐食は加速される。
【００１４】
水分と酸素のバリア（ｂａｒｒｉｅｒ）として作用する金属箔が継続して腐食されれば、パウチ膜のポリマー層のみでは、水分と酸素の流入を十分な程度に阻むことができない。パウチの遮断能力が劣れば、電池は異常を起こすことがある。すなわち、ゲル型電解質セパレーターの有機電解液が蒸発されるか、または外部水分や酸素が流入されればパウチにスウェリング（ｓｗｅｌｌｉｎｇ）などの異常現象が発生して電池の廃棄、性能劣化と寿命短縮をもたらす。
【００１５】
このような問題点を防止するための一つの方法として、コアパック電池の左右二辺のフランジ形態の縁を折る時、二回折って処理する方法も提案されたことがある。すなわち、先ず、図３に矢印で示されたように、パウチの対向する縁２３の半分を折って、縁２３部分が重なるようにすれば、縁２３の幅が半分になって、縁の端部２３１が、凹部５４をなす側壁面５４１の一部に当たるようになる。そして、重なった縁を再び凹部５４に向かって折る。その結果、縁の端部２３１は外部から見えないように縁２３と凹部５４をなす凹部の側壁面５４１との間に挟まれた状態になる。
【００１６】
しかし、電極タップ３７、３８を折曲した時、電極タップに接続された保護回路基板（図示せず）が位置するようになる領域（Ｂ）は、パウチの凹部５４によって占有されない空間である。それ故、縁２３を二回折る場合にも、縁の端部２３１が、凹部５４をなす凹部の側壁面５４１によって隔離されない。この空間では相変らず縁の端部２３１が現われて、ここに位置する保護回路基板などと電気的に接続される可能性が大きい。
【発明の開示】
【発明が解決しようとする課題】
【００１７】
本発明は、上述したところのような問題点をとり除くためのものであり、多層パウチ膜の一階層をなす金属箔が露出したパウチの縁の端部が、保護回路基板、ハードケース内の導電体などを通じて、電極をなす他の金属と電気的に接続されることを防止することができるパウチ型リチウム二次電池を提供することを目的とする。すなわち、金属箔が他の金属と短絡して腐食を起こす現象を防止することができるパウチ型リチウム二次電池を提供することを目的とする。
【課題を解決するための手段】
【００１８】
前記目的を果たすための本発明のパウチ型リチウム二次電池は、正極、セパレーター、及び負極を含んでなる電極組立体と、電極組立体を収容する凹部、及び当該凹部の周縁に沿って融着されてフランジ形態に形成された縁を有するパウチと、を具備するパウチ型リチウム二次電池において、縁の少なくとも一部分で、縁の端部が絶縁性の粘着テープでくるまれたことを特徴とする。
【００１９】
本発明で、絶縁性の粘着テープは、パウチにおいて、正極及び負極に設置される電極タップが引き出される部分を除いた縁の端部全体に付着されることがある。
【００２０】
本発明で、概略矩形をなすパウチの対向する二辺の縁の端部が前記凹部の側壁と当該縁との間に挟まれるように複数回折りたたまれた状態をなす場合、絶縁性の粘着テープは、保護回路基板が設置される辺とパウチの対向する二辺とが交差する二つの角部分の縁の端部のみに付着されても、保護回路基板の導電部とパウチ膜の金属箔との間の短絡を防止することができる。通常、保護回路基板が設置される辺と電極タップが引き出される辺とは同一な辺になる。
【００２１】
また、本発明で、概略矩形をなすパウチの対向する二辺において、絶縁性の粘着テープが縁の端部全体に付着されることができる。
【発明の効果】
【００２２】
本発明によれば、パウチの縁の端部が、電池を構成する他の部分の導電体部と触れないように、製造工程において、パウチ縁の端部が現われる所に絶縁材テープを付着することで、パウチ膜の金属箔と電池負極との間の電気的短絡を防止することができる。
【００２３】
したがって、金属箔が負極と接続されて金属箔が腐食され、パウチにおいて酸素や水分のバリアの役目を果たすことができなくなる問題を解決することができる。
【発明を実施するための最良の形態】
【００２４】
以下、図面を参照しながら、本発明の実施の形態を通じて、本発明をさらに詳しく説明する。
【００２５】
図４は、本発明の第１の実施の形態によって、リチウム二次電池を形成する過程で、ベアセル電池に保護回路基板が結合された状態を概略的に示した斜視図である。
【００２６】
図４の状態を形成する方法としては、一体に形成される矩形のパウチ膜を、一辺の長さ方向を基準に中間で折り返して、折り返された一方をパウチの上部とし、他方をパウチの下部とすることができる。ただし、２枚のパウチ膜を用いて、一のパウチ膜をパウチの上部とし、他のパウチ膜をパウチの下部としてもよい。パウチの下部にはプレス（ｐｒｅｓｓ）加工などを通じて、電極組立体を収容できる凹部が形成される。この時、パウチ膜は、通常アルミニウム材質の金属箔の上下にポリプロピレン樹脂などのポリマー膜をコーティングしてなされた多層構造を有する。
【００２７】
通常の電極組立体は、正極、セパレーター、及び負極が積層された多層膜を渦型に巻取して、ゼリーロール（Ｊｅｌｌｙ  Ｒｏｌｌ）形態で形成する。ゼリーロールを巻取形成する時に、正極と負極の短絡を阻むためにロール（ｒｏｌｌ）の外部、あるいは内部の電極面にはセパレーターが付け加えられる。
【００２８】
この時、正極は導電性が優れた金属薄板、例えば、アルミニウム箔よりなる正極集電体の両面に、リチウム系の酸化物を主成分にする正極活物質層をコーティングする方法で形成することができる。正極には、正極活物質層が形成されない正極集電体の領域に、正極タップが電気的に連結されている。
【００２９】
負極は、導電性の金属薄板、言わば銅箔よりなる負極集電体の両面に、炭素材を主成分にする負極活物質層をコーティングして形成することができる。コーティングは、たとえば、導電体、バインダー、及びその他の含有物が混ざったペースト状態の活物質を、集電体に薄く塗布する方式でなされる。負極にも、負極活物質層が形成されない負極集電体の領域に、負極タップが接続される。
【００３０】
巻取されたゼリーロール状態の電極組立体で、正極タップ及び負極タップは、一定な間隔を置いて並んで配置され、ゼリーロールが巻取される方向と垂直方向（巻取軸方向に沿う方向）にゼリーロールから突き出されて、密封されたパウチの一辺を通じて、パウチ内部から引き出される。
【００３１】
これらの電極タップは、一般的に金属、大概はアルミニウム、銅、またはニッケルのタップ形態を取る。これらは、認識できる程度の電圧降下なしに、電流の通路になる程度の十分な厚さ及び寸法を持たなければならない。
【００３２】
パウチの密封過程でパウチ内面のポリマー膜と電極タップをなす金属との間の接着を強化するために、ポリマー膜の表面に特定成分を含有させるか、または、密封前に同様の成分を有した別途のテープ（図示せず）を電極タップがパウチと接着される部分に付着させることもできる。この時、前記テープは二つの電極と電極タップらの間の短絡を防止する役目もする。
【００３３】
密封の過程では、通常的に、密封面の一部を密封しないで電解液を入れ込む過程、電解液の注入後に仮密封をして以後の工程で発生するガスを排出させる脱ガス（ｄｅｇａｓｉｎｇ）過程が介される。
【００３４】
一方、他の実施の形態では、正極及び負極と、正極タップ及び負極タップは、極性を異にして配置される。
【００３５】
電極組立体が置かれた下部（凹部）の周縁と、これに対応されるパウチ膜上部の縁とが密着された状態で、密着された部分を加熱加圧すれば、パウチ内部のポリマー膜が融着しながらパウチ密封がなされて、ベアセル電池が形成される。この時、縁２３、２３’は、上下のパウチ膜が融着された状態で、凹部５４周縁の４辺のうち少なくとも３辺がフランジ形態をなすようになる。特に、上述したように、一枚のパウチ膜を中間で折り返してパウチの上部及びパウチの下部とした場合には、３辺のみがそれぞれ融着されて、フランジ形態をなす。
【００３６】
凹部の底面側から見る時、おおよそ矩形をなすパウチで電極タップ３７、３８が引き出される辺と連結される対向する二辺において、縁２３の端部に絶縁材テープ２０１を付着して、端部の金属箔が現われないようにする。そして、二辺の縁２３を凹部に向かって折曲する。ベアセル電池の正極タップ及び負極タップ３７、３８に、従来のように保護回路基板５１、ＰＴＣなどの構造体を付着してコアパック電池１００を形成する。
【００３７】
この時、保護回路基板５１の導電部は、相変らずパウチの折られた対向する縁２３と空間的に近く位置する。しかし、縁２３の端部で、金属箔が絶縁材テープ２０１によって遮断されるので、保護回路基板５１の導電部が金属箔と電気的に接続される心配が消える。また、以後、コアパック電池１００をハードケース内に結合させる時、ハードケースの内側に別途の付属回路及びその他の導電体部を有する場合にも、パウチの折られた縁２３の端部では、絶縁材テープ２０１がパウチ膜の金属箔と導電体部の電気的接続を防止する。よって、パウチ膜の金属箔が、ハードケース内の導電部を通じて、電池の負極と短絡されて腐食される心配が消える。
【００３８】
なお、絶縁材テープ２０１は、図４で示されるように、前記二辺の縁２３の端部全体のみを覆うように付着される場合があるのに対し、前記パウチにおいて、正極及び負極に設置される電極タップ３７、３８が引き出される部分を除いた前記縁の端部全体を覆うように付着される場合もある。
【００３９】
図５は、本発明の参考例によるコアパック電池を概略的に示した正面図である。
【００４０】
図５に示されたところによれば、図４と異なり、パウチの対向する縁２３の端部に対するテーピング作業が、縁を折曲する工程後になされる。そして、金属箔が露出した縁２３の端部を中心に、テープ２０３の幅の半分は縁に付着して、残りの半分はパウチの凹部５４をなす壁面や底面の一部を覆うようになる。よって、テープ２０３は、縁２３の端部の露出した金属箔が他の導電体部分と接続されることを防止しながら、同時に折曲された縁２３が凹部５４に密着されるように外観上に整理された仕上げを形成する役目をする。この場合、コアパック電池１００をハードケースに入れるなどの以後工程で折曲された縁が工程に不便を与える問題も解決することができる。
【００４１】
図６は、本発明の第２の実施の形態によるコアパック電池を概略的に示した斜視図である。
【００４２】
図６に示された例では、パウチの対向する縁２３の端部が凹部の側壁５４１と当該縁との間に挟まれるように複数回折りたたまれる。具体的には、パウチの対向する縁２３が二回折曲される。たとえば、従来技術として図３に矢印で示された場合と同様に、パウチの対向する縁２３の半分を折って、縁２３部分が重なるようにすれば、縁２３の幅が半分になって、縁の端部２３１が、凹部５４をなす側壁面５４１の一部に当たるようになる。そして、重なった縁を再び凹部５４に向かって折る。その結果、縁の端部２３１は外部から見えないように縁２３と凹部５４をなす凹部の側壁面５４１との間に挟まれた状態になる。また、保護回路基板５１は、前記対向する二辺と交差する一辺に設置される。
【００４３】
よって、パウチの対向する二辺について、凹部５４が形成された部分（Ａ）では、縁の端部２３１の金属箔が露出しない。しかし、コアパック電池１００で、保護回路基板５１が位置する空間を制限する領域、すなわち、パウチの上側二つの角部分（Ｂ）で、パウチの左右の縁２３の端部２３１は、絶縁材テープ２０５によって覆われている。よって、保護回路基板５１の導電部とパウチ左右の縁２３の端部２３１が空間的に近く位置しても、パウチ膜の金属箔と保護回路基板の導電部との間に電気短絡が発生される心配はない。
【００４４】
このような実施の形態では、パウチ左右の縁２３の大部分で、縁２３の端部２３１が現われないで、絶縁材テープ２０５は端部が露出するパウチの上側二つの角のみに付着するので、絶縁材テープを長い領域に付ける他の実施の形態の場合に比べて、テーピング作業が簡単になる。
【００４５】
図７は、本発明の第３の実施の形態を示す正面図である。
【００４６】
図７を参照すれば、二つのコアパック２００が結合されて、一つの電池をなす場合が示される。各コアパック２００で、左右の縁は二回折曲されている。本実施の形態でも、コアパック一つで電池を形成する図６の場合のように各コアパック２００の上側二つの角には、絶縁材テープ２０７が付着する。よって、テープは角に露出したパウチ膜の金属箔と、その隣近で電極タップと接続された保護回路基板５１の導電部との電気接続を防止する。図面符号２１６は二つのコアパックから出た導電線である。
【００４７】
図８は、本発明によって形成されたハードパック状態の電池を、端が形成されるパウチの左右二辺と垂直をなす平面によって切断して見た概略的な断面図である。
【００４８】
図８を参照して説明すれば、コアパック電池１００で凹部が形成された下部と対向するハードケース６０の内面に、付属回路６３がさらに設置されている。このような付属回路６３の存在可否及び構成は、電池が使われる電気電子機器の特性によって決定される。大部分のハードケース６０の内部空間は、電極組立体を含むコアパック電池１００で満たされる。コアパック電池１００の上部面が、両面テープ６５によってハードケース６０の内面と接着されることで、コアパック電池１００はハードケースに安定するように装着されうる。
【００４９】
本発明の一実施の形態で、凹部が形成された方向に折られたパウチ対向する縁２３の端部は、ハードケース６０内面の付属回路６３にある導電体部分と空間的に近くに位置する。しかし、すでにパウチの縁の端部は、絶縁材テープ２０９で覆われている。よって、縁２３の端部がハードケース６０内面の導電体部分と触れる場合にも、パウチ膜の金属箔と導電体部分との間の電気接続は防止されて、導電体部分に電池の負極が接続された場合にも、金属箔と電池負極との間の短絡は防止される。
【００５０】
以上では、本発明を実施の形態によって詳細に説明したが、本発明は実施の形態によって限定されず、本発明が属する技術分野において通常の知識を有するものであれば本発明の思想と精神を離れることなく、本発明を修正または変更できるであろう。
【図面の簡単な説明】
【００５１】
【図１】電極組立体を収容する凹部が形成された面の底面側から見る時おおよそ矩形をなすコアパック電池の一例を示す正面図である。
【図２】図１の例で保護回路基板が接続される部分のみを別に示す斜視図である。
【図３】パウチの左右の二辺でフランジ形態の縁を二回折る要領を示す説明図である。
【図４】本発明の第１の実施の形態によってリチウム二次電池を形成する過程中にベアセル電池に保護回路基板が結合された状態を概略的に示した斜視図である。
【図５】本発明の参考例によるコアパック電池を概略的に示した正面図である。
【図６】本発明の第２の実施の形態によるコアパック電池を概略的に示した正面図である。
【図７】本発明の第３の実施の形態を示す正面図である。
【図８】本発明によって形成されたハードパック電池を縁が形成されるパウチの左右二辺と垂直をなす平面によって切断して見た概略的な断面図である。
【符号の説明】
【００５２】
１００  コアパック電池、
２３，２３’  縁、
３７，３８  電極タップ、
５１  保護回路基板、
５４  凹部、
５６，５４１  凹部の（側）壁面、
６０  ハードケース、
６３  付属回路、
６５  両面テープ、
２３１  縁の端部、
２０１，２０３，２０５，２０７，２０９  （絶縁材）テープ。
【図１】
2008288219.tif 000003
【図２】
2008288219.tif 000004
【図３】
2008288219.tif 000005
【図４】
2008288219.tif 000006
【図５】
2008288219.tif 000007
【図６】
2008288219.tif 000008
【図７】
2008288219.tif 000009
【図８】
2008288219.tif 000010